(57)【特許請求の範囲】
【請求項１】
主ブレードと、当該主ブレードの長手方向端部に、この長手方向端部から延設された延設状態と主ブレードの背面に収納された収納状態とに択一的に着脱自在に取り付けられる補助ブレードとが設けられ、前記主ブレードの背面に支持部が設けられ、前記補助ブレードの背面に前記支持部に支持されかつ連結ピンを介して連結される取付アームが設けられており、前記連結ピンには互いに連結された一対の棒材が設けられ、前記補助ブレードの取付アームには前記連結ピンの一対の棒材が挿通される一対の孔が設けられており、
前記主ブレードの支持部には、前記補助ブレードが延設状態のときに取付アームの一対の孔と一致するとともに、前記補助ブレードが収納状態のときにおいても前記取付アームの一対の孔と一致して、前記連結ピンの一対の棒材が挿通される一対の孔が設けられていることを特徴とするドーザ装置。
【請求項２】
前記連結ピンは、２本の円柱状の棒材の上端がコ字状の把手によって互いに連結されていることを特徴とする請求項１記載のドーザ装置。
【請求項３】
前記収納状態にある補助ブレードは、前記延長状態にある補助ブレードより上方に位置するように構成されていることを特徴とする請求項１又は２記載のドーザ装置。
【請求項４】
前記支持部は前記取付アームを下方から支持可能とされていることを特徴とする請求項１〜３のいずれかに記載のドーザ装置。
【発明の詳細な説明】
【０００１】
【発明の属する技術分野】
本発明は、バックホウ等の作業機に装着されるドーザ装置であって、左右方向の長さを調整可能なものに関する。
【０００２】
【従来の技術】
作業機の走行体が左右方向に幅調整自在であることに対応して、ドーザ装置の左右方向の長さを調整できるようにしたものは公知である。例えば、特開平８−２３２２９７号公報に記載のドーザ装置は、主ドーザ（主ブレード）と、主ドーザの左右両端部にそれぞれ左右幅方向にスライド出退自在に設けた補助ドーザ（補助ブレード）とから成り、主ドーザの両端背部に、左右一対の補助出退駆動用油圧シリンダを、長手方向に沿うように各別に設けて、主ドーザからの補助ドーザの出退によって、ドーザ装置をクローラ走行装置の左右幅とほぼ同幅に拡縮調節可能に構成されている。
【０００３】
【発明が解決しようとする課題】
上記のようにシリンダによってドーザの幅を調整するのでは、重量が増加したりコスト高を招く等の問題がある。
一方、簡単な構造を採用しようとすれば、補助ブレードを後方に回動自在とさせておき、補助ブレードが不要なときは後方に折り畳んで主ドーザの後部に収納することにより、ドーザの左右幅を調整することも考えられる。
しかし、補助ブレードを回動自在とすると、補助ブレードが回動するためのスペースを確保しなければならない。すなわち、補助ブレードの後方には、クローラ走行装置が位置しており、このクローラ走行装置と補助ブレードの間に、補助ドーザが回動するのに十分なスペースが必要とされる。
【０００４】
このスペースを確保するためにドーザ装置を前方に位置させると、ドーザを支持するアームへの負担が増大したり、作業機が不必要に大きくなってしまう等の問題が生ずる。
本発明は、上記問題に鑑みてなさされたものであって、補助ブレードを収納する場合にも、大きなスペースを必要としないドーザ装置を提供することを目的とする。
【０００５】
【課題を解決するための手段】
本発明は、上記目的を達成すべく、以下の技術的手段を講じた。すなわち、本発明に係るドーザ装置は、主ブレードと、当該主ブレードの長手方向端部に、この長手方向端部から延設された延設状態と主ブレードの背面に収納された収納状態とに択一的に着脱自在に取り付けられる補助ブレードとが設けられ、前記主ブレードの背面に支持部が設けられ、前記補助ブレードの背面に前記支持部に支持されかつ連結ピンを介して連結される取付アームが設けられており、前記連結ピンには互いに連結された一対の棒材が設けられ、前記補助ブレードの取付アームには前記連結ピンの一対の棒材が挿通される一対の孔が設けられており、
前記主ブレードの支持部には、前記補助ブレードが延設状態のときに取付アームの一対の孔と一致するとともに、前記補助ブレードが収納状態のときにおいても前記取付アームの一対の孔と一致して、前記連結ピンの一対の棒材が挿通される一対の孔が設けられていることを特徴とするものである。
【０００６】
このような構成によれば、ブレードを延長させる必要がある場合には、補助ブレードを主ブレードの長手方向端部に延設させ、収縮させる必要がある場合には、補助ブレードを主ブレードの背面に収納すればよい。この場合において、補助ブレードの主ブレードへの固定は、連結ピンの挿脱により容易に行なうことができる。さらに、補助ブレードと主ブレードは着脱自在であるから、補助ブレードを回動させる場合のように広いスペースは不要である。
さらに前記連結ピンは、支持部と取付アームに対して上方から挿脱される一対の棒材からなり、これらの棒材はそれらの上端においてコ字状の把手によって互いに連結されているので、連結ピンを差し込むだけで確実に主ブレードと補助ブレードを固定でき、しかも作業性が非常に良い。
【０００７】
さらに、本発明では、前記収納状態にある補助ブレードは、前記延長状態にある補助ブレードより上方に位置するように構成されているものとすることができる。
この場合、収納状態にある補助ブレードは、上方に位置しているので、主ブレードによる作業の邪魔とならない。
また、本発明では、前記支持部は前記取付アームを下方から支持可能とされているものとすることができる。
【０００８】
かかる構成であれば、補助ブレードを収納状態と延長状態とに姿勢変更する場合に、補助ブレードの荷重を主ブレードの支持部に預けることができるので、補助ブレードの姿勢変更作業を楽に行なえる。
【０００９】
【発明の実施の形態】
以下、本発明の実施の形態を図面に基づいて説明する。
図１及び図２は、本発明に係るドーザ装置６を備えた作業機（後方小旋回型バックホー）１を示している。
この作業機１は、走行装置５上に旋回機体４を支持し、この旋回機体４の前部に掘削装置３を備えて構成されている。旋回機体４は走行装置５上で縦軸方向の旋回中心軸Ｚ廻りに旋回可能となっており、その上部には、座席部９、操作部８等よりなる運転席７を備えている。この座席部９の上方には支柱１０を介して日除け部１１が備えられている。
【００１０】
前記走行装置５は、旋回機体４を旋回可能に支持する支持台５１を有する走行機体５２と、該走行機体５２に左右方向に位置変更自在に備えた左右走行体５３とを有している。左右の走行体５３は、夫々車輪フレーム５５を備え、該車輪フレーム５５の前部には従動輪５６が設けられ、後部には油圧モータにより回転駆動可能となる駆動輪５７が設けられ、下部には複数の転動輪が設けられている。そして、前記従動輪５６、駆動輪５７、及び転動輪に無端状の履体５８を巻回してクローラ走行体を形成している。
【００１１】
図３〜図７に示すように、前記ドーザ装置６は、前記走行装置５の前方にアーム１２を介して取り付けられた主ブレード１４と、この主ブレードを昇降させる油圧シリンダ１５と、主ブレード１４の左右両端に取り付けられる補助ブレード１６と、主ブレード１４と補助ブレード１６とを連結するための連結ピン１７を備えて構成されている。
前記主ブレード１４は断面が円弧状の主ブレード本体１４ａを有し、その主ブレード本体１４ａの左右両端の背面に前記補助ブレードを支持するための支持部１８が設けられている。また、前記補助ブレード１６も主ブレード本体１４ａと断面が同形状の補助ブレード本体１６ａを有し、補助ブレード１６を主ブレード１４の左右両端に取り付けることによって、ブレード全体を延長することができる。また、前記補助ブレード本体１６ａの背面には、前記支持部１８に支持される取付アーム１９が設けられている。
【００１２】
前記支持部１８は、前記主ブレード１４の上下方向中央よりやや上側の位置から後方に延設された上側支持板２１と、前記主ブレード１４の下側の位置から後方に延設された下側支持板２２とから構成されている。なお、上側支持板２１と下側支持板２２とはほぼ平行に配置されている。
前記取付アーム１９は、前記補助ブレード１６の上下方向中央よりやや上側の位置から後方に延設された上側アーム２４と、前記補助ブレード１６の下側の位置から後方に延設された下側アーム１５とから構成されている。
【００１３】
図３及び図５に示すように、上側アーム２４及び下側アーム２５は、補助ブレード１６が主ブレード１４の左右両端に取り付けられた状態において、前記支持部１８と平面視において重なるように前記支持部１８側に延びている。なお、上側アーム２４と下側アーム２５とはほぼ平行に配置されている。
また、図６及び図７に示すように、上側アーム２４と下側アーム２５の上下間隔は、上側支持板２１と下側支持板２２とを上下から挟み込むことができるような間隔とされている。
【００１４】
前記連結ピン１７は、二本の円柱状の棒材１７ａ，１７ａが、それらの上端がコ字状の把手２７によって連結されて構成されている。
前記上側支持板２１、下側支持板２２、上側アーム２４、下側アーム２５には、前記棒材１７ａ，１７ａが挿通される孔２８が２個ずつ形成されており、これらの孔２８が一致するように支持部１８と取付アーム１９を重ねておいて、前記連結ピン１７を前記孔２８に挿通させることで補助ブレード１６を主ブレード１４に固定することができる。なお、連結ピン１７の把手２７は棒材１７ａ，１７ａが孔２８より抜け落ちることを防止している。
【００１５】
また、支持部１８の孔２８と取付アーム１９の孔２８は、補助ブレード１６の収納状態及び延長状態で一致して連結ピン１７が挿通可能となるように配置されている。
すなわち、補助ブレード１６を、図４及び図６に示すように、主ブレード１４の背面に位置させると、連結ピン１７が孔２８に挿通可能となり、連結ピン１７によりその状態（収納状態）で補助ブレード１６が固定される。
また、補助ブレード１６を、図５及び図７に示すように、主ブレード１４の左右両端に位置させると、連結ピン１７が孔２８に挿通可能となり、連結ピン１７によりその状態（延長状態）で補助ブレード１６が固定される。
【００１６】
なお、補助ブレード１６を収納状態から延長状態に変更する場合、又はその逆の場合は、まず、連結ピン１７を上方に引き抜いて、補助ブレード１７を主ブレード１４から取り外し、姿勢を変更して再び連結ピン１７によって固定する。
このように、補助ブレード１６を連結ピン１７の挿脱により、容易に主ブレード１４から取り外すことができるので、ブレードと走行装置５（履体５８）との間にさほどスペースがなくとも、補助プレートの姿勢変更を行なうことができる。
【００１７】
また、上側支持板２１と下側支持板２２とはそれぞれ斜め上方に向いて設けられ、しかも、補助ブレード１６が主ブレード１４の左右両端側に取り付けられた状態において、上側アームと下側アーム２５とはそれぞれ斜め上方に向いて設けられている。したがって、補助ブレード１６を延設状態にしたときには、図７に示すように、主ブレードと高さ方向において位置が一致するのに対し、補助ブレード１６を収納状態にした場合には、図６に示すように、補助ブレード１６は主ブレード１４より上方に位置する。よって、収納された補助ブレード１６は主ブレードによる作業等の邪魔にならない。
【００１８】
また、取付アーム１９で支持部１８を挟むように重ね合わせると、上側支持板２１は上側アーム２４を下方から支持することになる。したがって、補助ブレード１６の姿勢変更を行なう場合に、補助ブレード１６の重量を上側支持板２１に預けることができる。したがって、姿勢変更の作業が容易に行なえる。
なお、本発明は、上記実施の形態に限定されるものではない。例えば、補助ブレードは主ブレードの左右一方側だけに設けられていてもよい。
【００１９】
【発明の効果】
以上説明したように、本発明によれば、補助ブレードを収納する場合にも大きなスペースを必要としない。
【図面の簡単な説明】
【図１】本発明に係るドーザ装置を備えたバックホーの全体側面図である。
【図２】本発明に係るドーザ装置を備えたバックホーの全体平面図である。
【図３】補助ブレードの斜視図である。
【図４】補助ブレードが収納状態にあるドーザ装置の拡大平面図である。
【図５】補助ブレードが延長状態にあるドーザ装置の拡大平面図である。
【図６】補助ブレードが収納状態にあるドーザ装置に拡大側面図である。
【図７】補助ブレードが延長状態にあるドーザ装置の拡大側面図である。
【符号の説明】
１  作業機
６  ドーザ装置
１４  主ブレード
１６  補助ブレード
１７  連結ピン
１８  支持部
１９  取付アーム
【図１】
0003596660.tif 000002
【図２】
0003596660.tif 000003
【図３】
0003596660.tif 000004
【図４】
0003596660.tif 000005
【図５】
0003596660.tif 000006
【図６】
0003596660.tif 000007
【図７】
0003596660.tif 000008